(57)【要約】      （修正有）【課題】すばやく加熱することができて、簡単に使用できて携帯に便利な使い捨て加熱シートを提供する。【解決手段】シート状を呈し、内部に生石灰が充填された加熱層を含んでなることを特徴とする。該加熱層には水が加熱層の内部に進入するための微小な孔を壁面に設けたり、外側に両面テープ、化学粘着材などの粘着性を具えた材料を形成させることもできる。また、ハウジングの内部に該加熱シートを設けて蓋体を付けることにより加熱用容器とすることもできる。【選択図】図１
0003146305.tif 000002
【実用新案登録請求の範囲】
【請求項１】
シート状を呈し、内部に生石灰が充填された加熱層を含んでなることを特徴とする加熱シート。
【請求項２】
前記加熱層が、複数の微小な孔を設けてなることを特徴とする請求項１に記載の加熱シート。
【請求項３】
前記加熱層が、少なくとも一以上の粘着層を側面に設けてなることを特徴とする請求項１、或いは２に記載の加熱シート。
【請求項４】
前記粘着層が、粘着性の両面テープを具えてなることを特徴とする請求項３に記載の加熱シート。  
【請求項５】
前記粘着層が、粘着性の粘着剤を具えてなることを特徴とする請求項３に記載の加熱シート。
【請求項６】
ハウジング、蓋体を含んでなり、該ハウジングの内部に加熱シートを設けてなることを特徴とする加熱用容器。
【考案の詳細な説明】
【技術分野】
【０００１】
この考案は、使い捨て加熱シートに関し、特に水に接触すると熱を発生する容器などに入れて使用する使い捨て加熱シートに関する。
【背景技術】
【０００２】
現在、市場では、魚の缶詰、ピーナッツの缶詰、ベジタリアン用食の缶詰、瓶詰めの飲料、真空パックされた鶏肉など缶詰、瓶詰めなどに包装された携帯式の食品が販売されている。
【０００３】
缶詰、或いは瓶詰めの食品は、携帯する場合に便利であるだけでなく、包装を開封すれば、すぐに食べることができるものが多いため、屋外へ外出する時に便利である。
【０００４】
しかしながら、食べる前に温める必要がある食品は、火やガス、或いは電子レンジなどの器具で加熱しなければならない。
【０００５】
よって、屋外、或いは山など火や電力の使用が限られた場所では不便で、いつでも温かい食品を食べることはむずかしい。このため、通常、屋外や山などの場合には冷たい状態食べることができる缶詰や瓶詰めの食品を携帯するしかない。
【考案の開示】
【考案が解決しようとする課題】
【０００６】
この考案は、すばやく加熱することができて、簡単に使用できて携帯に便利な使い捨て加熱シートを提供することを課題とする。
【課題を解決するための手段】
【０００７】
そこで、本考案者は従来の技術に見られる欠点に鑑みて鋭意研究を重ねた結果、シート状を呈し、内部に生石灰が充填された加熱層を含んでなる加熱シートによって課題を解決できる点に着眼し、かかる知見に基づいて本考案を完成させた。
【０００８】
以下、この考案について具体的に説明する。
請求項１に記載の加熱シートは、シート状を呈し、内部に生石灰が充填された加熱層を含んでなる。
【０００９】
請求項２に記載の加熱シートは、請求項１における加熱層が、複数の微小な孔を設けてなる。
【００１０】
請求項３に記載の加熱シートは、請求項１、或いは２における加熱層が、少なくとも一以上の粘着層を側面に設けてなる。
【００１１】
請求項４に記載の加熱シートは、請求項３における粘着層が、粘着性の両面テープを具えてなる。
【００１２】
請求項５に記載の加熱シートは、請求項３における粘着層が、粘着性の粘着剤を具えてなる。
【００１３】
請求項６に記載の加熱用容器は、ハウジング、蓋体を含んでなり、該ハウジングの内部に加熱シートを設けてなる。
【考案の効果】
【００１４】
この考案による加熱シートは、使用方法が簡単ですばやく加熱できるという効果を有する。
【考案を実施するための最良の形態】
【００１５】
この考案は、すばやく加熱することができて、簡単に使用できて携帯に便利な使い捨て加熱シートであって、シート状を呈し、内部に生石灰が充填された加熱層を含んでなる加熱シートの構造と特徴を詳述するために具体的な実施例を挙げ、図示を参照にして以下に説明する。
【実施例】
【００１６】
図１は、この考案の実施形態を示したものである。図面によれば、この考案の使い捨て加熱シートは、シート状を呈し、内部に生石灰１１を充填した加熱層１０を含んでなる。
【００１７】
該加熱層１０は、壁面に微小な孔１３を設けてなる。該微小な孔１３は、水が加熱層の内部に進入する場合の経路になる。該加熱層１０は、複数の微小な孔を具えた材料であるフラシ天などを選択して形成してもよい。
【００１８】
該加熱層１０は外側に粘着層１２を具えてなる。該粘着層１２は、両面テープ、化学粘着剤、或いはその他粘着性を具えた材料を選択して形成する。
【００１９】
また、該粘着層１２は、加熱層１０の外側両面にそれぞれ設けてもよい。この場合には、軟性の包装を具えた食品など同時に二つの食品を加熱することができる。
【００２０】
使用する場合、加熱シートを食品の包装の外側に貼着する。その後、加熱シートに水を加えれば加熱することができる。
【００２１】
加熱シートは使用しない場合、適宜に密封して保管し、空気に含まれる湿気で加熱シートの生石灰が次第に効果を失うことを防ぐ。
【００２２】
図２、図３は、この考案の他の実施形態を示したものである。図面によれば、この実施形態は加熱用容器であって、ハウジング１４と、蓋体１６と、を含んでなり、該ハウジング１４の内部に上述の使い捨て加熱シートを設けて使用する。
【００２３】
該ハウジング１４は内部に、水や包装された食品１３などを設けることができる設置空間１５を設けてなる。
【００２４】
該ハウジング１４は内部にあらかじめ適宜な量の水を入れておき、包装された食品１３を入れる。ハウジング１４と、包装された食品１３との間に加熱シートを入れる。
【００２５】
または、包装された食品１３の外側に直接、加熱シートを貼着した後、ハウジング１４の内部に直接入れると、加熱シートの生石灰１１が設置空間１５の内部に設けられた水に接触して、大量の熱を発生する。放出された熱で内部の水が９０〜９５度に加熱される。
【００２６】
熱が包装された食品１３の内部に伝導されて加熱され、食品が温めらる、或いは煮込むなどの目的を達成することができる。
【００２７】
該ハウジング１４は、上方の開口に蓋体１６を設けてなる。該蓋体１６は、ハウジング１４の開口に蓋をして、熱が外部に流出することを減らすため、熱の伝導率が高められる。
【００２８】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の特許請求の範囲に属するものとする。
【図面の簡単な説明】
【００２９】
【図１】この考案の加熱シートを示した断面図である。
【図２】この考案の加熱シートの他の実施形態で使用する状態を示した分解図である。
【図３】図２に開示する加熱シートを示した断面図である。
【符号の説明】
【００３０】
１０     加熱層
１１     生石灰
１２     粘着層
１３     包装された食品
１４     ハウジング
１５     設置空間
１６     蓋体
【図１】
0003146305.tif 000003
【図２】
0003146305.tif 000004
【図３】
0003146305.tif 000005
【手続補正書】
【提出日】平成20年9月1日(2008.9.1)
【手続補正１】
【補正対象書類名】実用新案登録請求の範囲
【補正対象項目名】請求項６
【補正方法】変更
【補正の内容】
【請求項６】
ハウジング、蓋体を含んでなり、該ハウジングの内部に、請求項１〜５のいずれかの請求項に記載された加熱シートを設けてなることを特徴とする加熱用容器。